【事件の表示】
　特願２０１７−５１６２７７「音響撮像方法および装置」拒絶査定不服審判事件〔平成２８年　３月３１日国際公開、ＷＯ２０１６／０４６５０６、平成２９年　９月２８日国内公表、特表２０１７−５２８２７１〕について、次のとおり審決する。
【結　論】
　本件審判の請求は、成り立たない。
【理　由】
１　手続の経緯
　本件出願（以下「本願」と記す。）は、２０１５年９月２５日（パリ条約による優先権主張　２０１４年９月２６日　フランス）を国際出願日とする出願であって、平成３１年４月２４日付けで拒絶理由が通知され、令和元年１０月４日付けで意見書が提出され、同年１１月２６日付けで拒絶査定されたところ、令和２年３月３０日に拒絶査定不服審判の請求がなされるとともに同時に手続補正がなされ、令和２年７月１７日に上申書が提出されたものである。
２　令和２年３月３０日付けの手続補正についての補正の却下の決定
〔補正の却下の決定の結論〕
　令和２年３月３０日付けの手続補正（以下「本件補正」という。）を却下する。
〔理由〕
（１）補正の内容
　本件補正は、特許請求の範囲を補正するものであって、その補正内容は、特許請求の範囲について、【請求項１】を
「【請求項１】
　音響撮像方法であって、前記方法は、
（ａ）送信／受信ステップであって、そのステップの間に、音響トランスデューサの配列（２）が、撮像されるべき媒体（１）の一部である観察領域内に一連のｎ個の入射音波Ｅｉ（ｔ）を連続して送信し、および音響トランスデューサの前記配列は、前記ｎ個の入射
音
Ｅｉ（ｔ）
　前記
ｎ個の
の各々
　　【数１】
　式（１）
　ここで、Ｈｃは、次数ｎの正方行列であり、
　　【数２】
は、成分として前記ｎ個の入射
音
　　【数３】
は、成分として前記ｎ個の基本入射波
Ｅ０ｉ（ｔ）
　前記
ｎ個の
　
前記ｎ個の基本入射波の
Ｅ０ｉ（ｔ）
し
　
前記ｎ個の基本入射波の各基本入射波Ｅ０ｉ（ｔ）は、複数の時間信号によって表され、各時間信号は、前記複数の音響トランスデューサの１つの音響トランスデューサで前記基本入射波Ｅ０ｉ（ｔ）を表す、
送信/受信ステップと、
（ｂ）復号化ステップであって、そのステップの間に、ｎ個の基本反射波Ｒ０ｉ（ｔ）は、検出された前記ｎ個の反射波Ｒｉ（ｔ）を線形結合することによって決定され、式（２）に対応し、
　　【数４】
　式（２）
ここで、Ｈｄは次数ｎの正方行列であって、行列ＨｃおよびＨｄは、Ｈｃ.Ｈｄ＝Ｄとなるようなものであり、Ｄは、全ての対角要素ｄｉｉが非ゼロである次数ｎの対角行列であり、
　　【数５】
は、成分として前記ｎ個の反射波を有するベクトルであり、
　　【数６】
は、成分として前記ｎ個の基本反射波を有するベクトルである、復号化ステップと、
（ｃ）画像構築ステップであって、そのステップの間に、合成画像は、前記ｎ個の基本反射波Ｒ０ｉ（ｔ）から生成される、画像構築ステップと、
を含む、方法。」（下線部は補正箇所を示す。）
と補正するものを含むものである。
　
（２）本件補正の目的
　本件補正のうち、請求項１についての補正は、請求項１に記載した発明を特定するために必要な事項である、「ｎ個の入射波」を「ｎ個の入射音波Ｅｉ（ｔ）」とし、「前記入射音波は」を「前記ｎ個の入射音波の各々は」とし、「前記ｎ個の入射波」を「前記ｎ個の入射音波」とし、「基本入射波」を「基本入射波Ｅ０ｉ（ｔ）」とし、「前記基本入射波は」を「前記ｎ個の基本入射波は」とし、「各基本入射波は」を「前記ｎ個の基本入射波の各基本入射波Ｅ０ｉ（ｔ）は」とし、「および前記観察領域全体を走査する、送信/受信ステップと、」を「および前記観察領域全体を走査し、前記ｎ個の基本入射波の各基本入射波Ｅ０ｉ（ｔ）は、複数の時間信号によって表され、各時間信号は、前記複数の音響トランスデューサの１つの音響トランスデューサで前記基本入射波Ｅ０ｉ（ｔ）を表す、送信/受信ステップと、」に限定するものであるから、特許法第１７条の２第５項第２号に掲げる特許請求の範囲の減縮を目的とするものに該当する。
　
（３）独立特許要件について
　本件補正後の前記請求項１に記載された発明（以下「本願補正発明１」という。）が特許法第１７条の２第６項において準用する同法第１２６条第７項の規定に適合するか（特許出願の際独立して特許を受けることができるものであるか）について以下に検討する。
　
　ア　本願補正発明
　本願補正発明１は、前記「２（１）」に記載したとおりのものである。
　
　イ　引用例
　原査定の拒絶の理由に引用された、本願の優先日前である平成１１年６月１５日に頒布された刊行物である「特開平１１−１５５８６７号公報」（以下「引用例」という。）には、図面とともに、以下の技術事項が記載されている。
　
（ア）「【０００１】
【発明の属する技術分野】本発明は一般に
ディジタル超音波イメージング・システム
超音波像の見かけの音響フレーム速度を増大するための方法
　
（イ）「【０００７】
【発明の概要】本発明は、１つの像フレーム当りの送信事象の数を低減することによって医用超音波イメージングにおけるフレーム速度を著しく増大するための方法および装置に関するものである。具体的に述べると、空間的に符号化された送信事象を使用してＳＮＲを改善しながら高いフレーム速度の医用イメージングが実行される。完全な１組の散乱データは、例えば全てのＭ個の送信素子およびＮ個の受信素子に対して、ｍ番目の送信素子のようなフェーズド・アレイの１つのトランスジューサ素子から送信されて、媒体によって散乱され、その後にｎ番目の受信素子で受信される超音波パルスの時間的経歴を捕捉する。全ての送信素子から同時に送信しながら、このｍ→ｎ素子散乱データが抽出される。個別のｍ→ｎ素子散乱データは、送信信号が可逆（ｉｎｖｅｒｔｉｂｌｅ）符号、好ましくはアダマール（Ｈａｄａｍａｒｄ）符号のような直交位相符号で空間的に符号化される場合、回復させることが出来る。
【０００８】本発明の好ましい実施態様では、トランスジューサ・アレイのＭ個の送信素子からＭ組の符号化された信号が１組ずつ順次送信される。各送信において、Ｍ個の送信素子の全てが特定の組の符号化に従って同時に作動される。その結果得られた散乱データがＭ個の送信事象の各々に対して記憶される。記憶された散乱データはその後、個々の素子情報を得るために符号化マトリクスの逆マトリクスにより復号される。」
（ウ）「【００１１】本発明の好ましい実施態様では、トランスジューサ・アレイのＭ個の送信素子からＭ組の符号化された信号が１組ずつ順次送信される。各送信において、Ｍ個の送信素子の全てが可逆符号化マトリクスのそれぞれの列内の符号化に従って同時に作動される。その結果得られた散乱データがその後、符号化マトリクスの逆マトリクスにより復号されて、全てのＭ個の送信素子およびＮ個の受信素子に対して、ｍ番目の送信素子から送信されて、媒体によって散乱され、その後にｎ番目の受信素子で受信された超音波パルスの時間的経歴を表す完全な１組の散乱データを得る。
【００１２】各々の送信事象において、符号化された送信素子の数はＭに等しく且つ受信素子の数はＮに等しく、ここで送信事象の数Ｋ＝Ｍである。復号した後の受信信号振幅はＭＳO であり、ノイズ標準偏差はＭ1/2 σに等しい。復号後、Ｍ×Ｎの完全なデータ組について和をとることによりビーム形成が行われる。この結果得られる信号対ノイズ比は次のようにＳＮＲ＝ＭＮ1/2 （ＳO ／σ）である。
【００１３】従って、本発明の空間的符号化プロセスは、完全な散乱データの収集のためのＳＮＲを、同じ数の送信事象のために一度に１つの素子からの送信を使用してデータを測定することによって得られる場合のＳＮＲに比べて１０ log（Ｍ）デシベル増大させる。」
（エ）「【００１４】図２は、本発明を取り入れた
超音波イメージング・システム
複数の別々に駆動されるトランスジューサ素子１２ａ−１２ｎで構成されたトランスジューサ・アレイ１０を有する。各々のトランスジューサ素子は、それぞれのパルサ／受信器１４によって発生されたパルス波形によって付勢されたときに超音波エネルギのバーストを生じる。検査中の物体からトランスジューサ・アレイ１０に反射されて戻った超音波エネルギは各々の受信トランスジューサ素子によって電気信号に変換されて、それぞれのパルサ／受信器１４に別々に印加される。パルサ／受信器１４は、操作員の命令に応答するディジタル制御器１６の制御の下に動作する。
【００１５】Ｌ≧Ｍとして、Ｌ個のトランスジューサ素子より成るトランスジューサ・アレイの中にＭ個の送信素子があると仮定すると、
Ｋ＝Ｍ個の送信事象の各々の際にＭ個の送信素子が同時に作動されて、集束されていない超音波を送出する。
【００１６】
ｍ＝１，２，....，Ｍとし、ｎ＝１，２，....，Ｎとして、各々の送信事象ｎにおいて、後方散乱信号Ｒmn（ｔ）が１組Ｎ個の受信素子で電気信号に変換される。これらの電気信号はそれぞれのパルサ／受信器１４によって増幅されて、それぞれのアナログ−ディジタル（Ａ／Ｄ）変換器１８に送られる（図２参照）。各々の送信事象において、ディジタル化された信号は制御器１６の制御の下にランダム・アクセス・メモリ（ＲＡＭ）２０に記憶される。１つの像フレームに対応するＫ個の送信事象が完了したとき、ＲＡＭ２０に記憶されているデータが検索されて、ディジタル信号プロセッサ２２によって別のデータ組Ｄmn（ｔ）に変換すなわち復号される。ディジタル信号プロセッサ２２はまた、復号された像データについてビーム形成を行う。この復号されビーム形成された像データは次いでビデオまたは表示モニタ２４上で１つの像フレームとして表示される。
【００１７】データ組Ｄmn（ｔ）は以下の式に従って変換される。
【００１８】
【数１】
【００１９】この変換は、各々の送信事象が１群のＭ＝Ｋ個の素子で送信される１組のＫ個の送信事象を復号して、１つのデータ組を得る。この場合、送信素子は分離される、すなわちデータ組Ｄmn（ｔ）が送信素子ｍから送信されて受信素子ｎで受信された信号に対応する。
【００２０】復号されたデータ組Ｄmn（ｔ）は共焦点像を形成するようにビーム形成されることが出来る。図３に示されている各々の位置ｐに対する復号されたデータは次の式に従ってビーム形成される。
【００２１】
【数２】
【００２２】上式で、τmpは送信パルスがｍ番目の送信素子から位置ｐまで伝搬する時間であり、τpnは散乱されるパルスが位置ｐからｎ番目の受信素子まで伝搬する時間であり、ａmnはｍ番目の送信素子およびｎ番目の受信素子に対するアポダイゼーション（ａｐｏｄｉｚａｔｉｏｎ）関数である。
【００２３】
復号されたデータ組は、Ｍ個の送信素子の各々で送信し且つ各送信事象に対してＮ個の受信素子の全部で受信することによって得られるものと同じ情報（完全なデータ）を含んでおり、
【００２４】符号化マトリクスとして任意の可逆マトリクスを使用することが出来るが、符号化マトリクスとしてアダマール・マトリクスを選ぶのが有益である。アダマール・マトリクスの要素は＋１または−１のいずれかであり、これらは送信電子回路において位相の反転として容易に実施し得る。
対称アダマール・マトリクスの逆マトリクスは、単にそれ自身をスケーリングしたもの、すなわちＱN-1 ＝（１／Ｎ）Ｑである
【００２５】
【数３】
【００２６】
アダマール・マトリクスを使用したＭ＝４の場合
４個の相次ぐ送信事象の各々に対するアレイ内の４個の送信素子の符号化されたパルス駆動
アダマール・マトリクスの＋１および−１の要素はパルサ／受信器
によって反対の位相のパルスに変換される。これらのパルスはＰ（ｔ）または−ｐ（ｔ）のいずれかで表されている。
送信素子１２ａ−１２ｄが次のアダマール符号ベクトルを使用して駆動される。すなわち、第１の送信事象ではアダマール符号ベクトル［+1 +1 +1 +1］ を使用し
、第２の送信事象でアダマール符号ベクトル［+1 -1 +1 -1］ を使用し
第３の送信事象でアダマール符号ベクトル［+1 +1 -1 -1］ を使用し
第４の送信事象ではアダマール符号ベクトル［+1 -1 -1 +1］ を使用する
第１の送信素子だけがファイヤリングされる場合における等価なデータ組を作成するための復号は、４つの受信データ組の全てを加算し、その結果を４で割ることより成る。第２の送信素子だけがファイヤリングされる場合における等価なデータ組を作成するための復号は、第１および第３の受信データ組を加算して得た和から残りの受信データ組を減算し、次いでその結果を４で割ることより成る。第３の送信素子だけがファイヤリングされる場合における等価なデータ組を作成するための復号は、第１および第２の受信データ組を加算して得た和から残りの受信データ組を減算し、次いでその結果を４で割ることより成る。最後に、第４の送信素子だけがファイヤリングされる場合における等価なデータ組を作成するための復号は、第１および第４の受信データ組を加算して得た和から残りの受信データ組を減算し、次いでその結果を４で割ることより成る
（オ）「【図２】
」
（カ）「【図４】
」
（キ）「【図５】
」
（ク）「【図６】
」
（ケ）「【図７】
」
（コ）[0026]の記載からして図４ないし図７には、「
送信素子１２ａ−１２ｄのそれぞれの素子から、Ｐ（ｔ）または−Ｐ（ｔ）のパルスが送信される
　上記引用例の記載事項及び図面を総合勘案すると、引用例には、次の発明（以下「引用発明」という。）が記載されていると認められる。
　
「ディジタル超音波イメージング・システムの超音波像の見かけの音響フレーム速度を増大するための方法において、
　超音波イメージング・システムは、複数の別々に駆動されるトランスジューサ素子１２ａ−１２ｎで構成されたトランスジューサ・アレイ１０を有し、
　各々のトランスジューサ素子は、それぞれのパルサ／受信器１４によって発生されたパルス波形によって付勢されたときに超音波エネルギのバーストを生じ、検査中の物体からトランスジューサ・アレイ１０に反射されて戻った超音波エネルギは各々の受信トランスジューサ素子によって電気信号に変換されて、それぞれのパルサ／受信器１４に別々に印加され、パルサ／受信器１４は、操作員の命令に応答するディジタル制御器１６の制御の下に動作するものであり、
　ｍ＝１，２，....，Ｍとし、ｎ＝１，２，....，Ｎとして、各々の送信事象ｎにおいて、後方散乱信号Ｒmn（ｔ）が１組Ｎ個の受信素子で電気信号に変換され、これらの電気信号はそれぞれのパルサ／受信器１４によって増幅されて、それぞれのアナログ−ディジタル（Ａ／Ｄ）変換器１８に送られ、各々の送信事象において、ディジタル化された信号は制御器１６の制御の下にランダム・アクセス・メモリ（ＲＡＭ）２０に記憶され、１つの像フレームに対応するＫ個の送信事象が完了したとき、ＲＡＭ２０に記憶されているデータが検索されて、ディジタル信号プロセッサ２２によって別のデータ組Ｄmn（ｔ）に変換すなわち復号され、ディジタル信号プロセッサ２２はまた、復号された像データについてビーム形成を行い、この復号されビーム形成された像データは次いでビデオまたは表示モニタ２４上で１つの像フレームとして表示されるものであり、
　アダマール・マトリクスを使用したＭ＝４の場合、Ｋ＝Ｍ個の送信事象の各々の際にＭ個の送信素子が同時に作動されて、集束されていない超音波を送出するものであり、４個の相次ぐ送信事象の各々に対するアレイ内の４個の送信素子の符号化されたパルス駆動は、アダマール・マトリクスの＋１および−１の要素はパルサ／受信器によって反対の位相のパルスに変換され、これらのパルスはＰ（ｔ）または−ｐ（ｔ）のいずれかで表されており、送信素子１２ａ−１２ｄのそれぞれの素子から、Ｐ（ｔ）または−Ｐ（ｔ）のパルスが送信され、送信素子１２ａ−１２ｄが次のアダマール符号ベクトルを使用して駆動され、すなわち、第１の送信事象ではアダマール符号ベクトル［+1 +1 +1 +1］ を使用し、第２の送信事象でアダマール符号ベクトル［+1 -1+1 -1］ を使用し）、第３の送信事象でアダマール符号ベクトル［+1 +1 -1 -1］ を使用し、第４の送信事象ではアダマール符号ベクトル［+1 -1 -1 +1］ を使用するものであり、
　対称アダマール・マトリクスの逆マトリクスは、単にそれ自身をスケーリングしたもの、すなわちＱN-1 ＝（１／Ｎ）Ｑであるから、第１の送信素子だけがファイヤリングされる場合における等価なデータ組を作成するための復号は、４つの受信データ組の全てを加算し、その結果を４で割ることより成り、第２の送信素子だけがファイヤリングされる場合における等価なデータ組を作成するための復号は、第１および第３の受信データ組を加算して得た和から残りの受信データ組を減算し、次いでその結果を４で割ることより成り、第３の送信素子だけがファイヤリングされる場合における等価なデータ組を作成するための復号は、第１および第２の受信データ組を加算して得た和から残りの受信データ組を減算し、次いでその結果を４で割ることより成り、最後に、第４の送信素子だけがファイヤリングされる場合における等価なデータ組を作成するための復号は、第１および第４の受信データ組を加算して得た和から残りの受信データ組を減算し、次いでその結果を４で割ることより成るものであり、復号されたデータ組は、Ｍ個の送信素子の各々で送信し且つ各送信事象に対してＮ個の受信素子の全部で受信することによって得られるものと同じ情報（完全なデータ）を含んでいる、
方法。」
　
ウ　対比
　本願補正発明１を、引用発明と比較する。比較するにあたり、本願補正発明１の「ここでｎは少なくとも２に等しい自然数」について、ｎを４として引用発明と比較する。
引用発明における「ディジタル超音波イメージング・システム」を用い
て「超音波像」を作成する「ディジタル超音波イメージング・システムの超音波像の見かけの音響フレーム速度を増大するための方法」は、本願補正発明１における「音響撮像方法」に相当する。
「（ａ）送信／受信ステップ」について
　（イ）引用発明における「トランスジューサ素子１２ａ−１２ｎ」は、本願補正発明１における「音響トランスデューサ」に相当する。
　（ウ）引用発明における「トランスジューサ素子１２ａ−１２ｎで構成されたトランスジューサ・アレイ１０」は、本願補正発明１における「音響トランスデューサの配列（２）」に相当する。
　（エ）引用発明における「検査中の物体」は、「超音波イメージング・システム」により「超音波像」を作成するために測定される対象であるから、本願補正発明１における「撮像されるべき媒体（１）」に相当する。
　（オ）引用発明の「４個の相次ぐ送信事象」は、「超音波イメージング・システム」により「超音波像」を作成するために「検査中の物体」に「第１の送信事象」、「第２の送信事象」、「第３の送信事象」及び「第４の送信事象」を相次いで送信するものであるから、本願補正発明１における「撮像されるべき媒体（１）の一部である観察領域内に一連の」４「個の入射音波」「を連続して送信」する「送信ステップ」に相当する。
　（カ）引用発明の「各々の送信事象ｎにおいて、後方散乱信号Ｒmn（ｔ）が１組Ｎ個の受信」「トランスジューサ」「素子で電気信号に変換され、これらの電気信号はそれぞれのパルサ／受信器１４によって増幅されて、それぞれのアナログ−ディジタル（Ａ／Ｄ）変換器１８に送られ、各々の送信事象において、ディジタル化された信号は制御器１６の制御の下にランダム・アクセス・メモリ（ＲＡＭ）２０に記憶され」ることは、本願補正発明１における「音響トランスデューサの前記配列は、前記ｎ個の入射音波」「の前記送信に続いて撮像されるべき前記媒体によってそれぞれ反射されるｎ個の反射波」「を検出する」「／受信ステップ」に相当する。
　（キ）引用発明における「Ｐ（ｔ）または−Ｐ（ｔ）のパルス」は、「送信素子１２ａ−１２ｄのそれぞれの素子から、」「検査中の物体」に「送信され」るものであるから、本願補正発明１における「音響トランスデューサの前記配列（２）の複数の音響トランスデューサによって送信され、および観察領域全体を走査し」、「複数の時間信号によって表され」「複数の音響トランスデューサの１つの音響トランスデューサで」「表され」る「各基本入射波Ｅ０ｉ（ｔ）」に相当する。
　（ク）引用発明では「送信素子１２ａ−１２ｄが次のアダマール符号ベクトルを使用して駆動され、すなわち、第１の送信事象ではアダマール符号ベクトル［+1 +1 +1 +1］ を使用し、第２の送信事象でアダマール符号ベクトル［+1 -1+1 -1］ を使用し）、第３の送信事象でアダマール符号ベクトル［+1 +1 -1 -1］ を使用し、第４の送信事象ではアダマール符号ベクトル［+1 -1 -1 +1］ を使用するものであ」り、「送信素子１２ａ−１２ｄのそれぞれの素子から、Ｐ（ｔ）または−Ｐ（ｔ）のパルスが送信され」ることから、
第１の送信事象＝　Ｐ（ｔ）＜１２ａ送信＞　＋　Ｐ（ｔ）＜１２ｂ送信＞
　　　　　　　＋　Ｐ（ｔ）＜１２ｃ送信＞　＋　Ｐ（ｔ）＜１２ｄ送信＞
第２の送信事象＝　Ｐ（ｔ）＜１２ａ送信＞　＋−Ｐ（ｔ）＜１２ｂ送信＞
　　　　　　　＋　Ｐ（ｔ）＜１２ｃ送信＞　＋−Ｐ（ｔ）＜１２ｄ送信＞
第３の送信事象＝　Ｐ（ｔ）＜１２ａ送信＞　＋　Ｐ（ｔ）＜１２ｂ送信＞
　　　　　　　＋−Ｐ（ｔ）＜１２ｃ送信＞　＋−Ｐ（ｔ）＜１２ｄ送信＞
第４の送信事象＝　Ｐ（ｔ）＜１２ａ送信＞　＋−Ｐ（ｔ）＜１２ｂ送信＞
　　　　　　　＋−Ｐ（ｔ）＜１２ｃ送信＞　＋　Ｐ（ｔ）＜１２ｄ送信＞
ということになり、第１〜第４の送信事象を１つのベクトル（１−４送信事象）、＜１２ａ送信＞〜＜１２ｄ送信＞を１つのベクトル（１２ａ−ｄ送信）とし、４×４行列を（Ｈｃ）とすると、
ベクトル（１−４送信事象）＝　行列（Ｈｃ）×　ベクトル（１２ａ−ｄ送信）
　（Ｈｃ）＝　　１　　１　　１　　１
　　　　　　　　１　−１　　１　−１
　　　　　　　　１　　１　−１　−１
　　　　　　　　１　−１　−１　　１
 　　　  (注:行列を表す　大かっこ　は　システム上記載できない）
となり、行列（Ｈｃ）は４×４アダマール・マトリクスとなる。
　以上のことから、引用発明における「送信素子１２ａ−１２ｄが次のアダマール符号ベクトルを使用して駆動され、すなわち、第１の送信事象ではアダマール符号ベクトル［+1 +1 +1 +1］ を使用し、第２の送信事象でアダマール符号ベクトル［+1 -1+1 -1］ を使用し）、第３の送信事象でアダマール符号ベクトル［+1 +1 -1 -1］ を使用し、第４の送信事象ではアダマール符号ベクトル［+1 -1 -1 +1］ を使用するものであ」り、「送信素子１２ａ−１２ｄのそれぞれの素子から、Ｐ（ｔ）または−Ｐ（ｔ）のパルスが送信され」ることは、本願補正発明１における、
４「個の入射音波の各々は、」４「個の基本的な入射波Ｅ０ｉ（ｔ）を次の式に対応する方法で線形結合することによって得られ、
　　【数１】
　ここで、Ｈｃは、次数」４「の正方行列であり、
　　【数２】
は、成分として前記」４「個の入射音波を有するベクトルであり、
　　【数３】
は、成分として前記」４「個の基本入射波Ｅ０ｉ（ｔ）を有するベクトルであ」ること、
に相当する。
「（ｂ）復号化ステップ」について
　（ケ）引用発明では、「第１の送信素子だけがファイヤリングされる場合における等価なデータ組を作成するための復号は、４つの受信データ組の全てを加算し、その結果を４で割ることより成り、第２の送信素子だけがファイヤリングされる場合における等価なデータ組を作成するための復号は、第１および第３の受信データ組を加算して得た和から残りの受信データ組を減算し、次いでその結果を４で割ることより成り、第３の送信素子だけがファイヤリングされる場合における等価なデータ組を作成するための復号は、第１および第２の受信データ組を加算して得た和から残りの受信データ組を減算し、次いでその結果を４で割ることより成り、最後に、第４の送信素子だけがファイヤリングされる場合における等価なデータ組を作成するための復号は、第１および第４の受信データ組を加算して得た和から残りの受信データ組を減算し、次いでその結果を４で割ることより成るものである」ことから、
第１の送信素子だけがファイヤリングされる場合における等価なデータ組
　＝　１／４＊（　　第１の受信データ組　　＋　　第２の受信データ組
　　　　　　　　＋　第３の受信データ組　　＋　　第４の受信データ組）
第２の送信素子だけがファイヤリングされる場合における等価なデータ組
　＝　１／４＊（　　第１の受信データ組　　−　　第２の受信データ組
　　　　　　　　＋　第３の受信データ組　　−　　第４の受信データ組）
第３の送信素子だけがファイヤリングされる場合における等価なデータ組
　＝　１／４＊（　　第１の受信データ組　　＋　　第２の受信データ組
　　　　　　　　−　第３の受信データ組　　−　　第４の受信データ組）
第４の送信素子だけがファイヤリングされる場合における等価なデータ組
　＝　１／４＊（　　第１の受信データ組　　−　　第２の受信データ組
　　　　　　　　−　第３の受信データ組　　＋　　第４の受信データ組）
ということになり、第１〜第４の送信素子だけがファイヤリングされる場合における等価なデータ組を１つのベクトル（１−４のみの等価データ組）、第１〜４の受信データ組を１つのベクトル（１−４受信データ組）とし、４×４行列を（Ｈｄ）とすると、
ベクトル（１−４のみの等価データ組）＝　行列（Ｈｄ）
　　　　　　　　　　　　　　　　　　　×　ベクトル（１−４受信データ組）
　（Ｈｄ）＝（１／４）＊　　１　　１　　１　　１
　　　　　　　　　　　　　　１　−１　　１　−１
　　　　　　　　　　　　　　１　　１　−１　−１
　　　　　　　　　　　　　　１　−１　−１　　１
　　　　　 (注:行列を表す　大かっこ　は　システム上記載できない）
となり、行列（Ｈｄ）は４×４アダマール・マトリクスの逆マトリクスとなる。前記（ク）の行列（Ｈｃ）と前記行列（Ｈｄ）とは、行列と逆行列の関係になっていることから、ＨｃとＨｄをかけると、対角要素が全て１でそれ以外の要素は０の４×４の対角行列となる。
　以上のことから、引用発明における「第１の送信素子だけがファイヤリングされる場合における等価なデータ組を作成するための復号は、４つの受信データ組の全てを加算し、その結果を４で割ることより成り、第２の送信素子だけがファイヤリングされる場合における等価なデータ組を作成するための復号は、第１および第３の受信データ組を加算して得た和から残りの受信データ組を減算し、次いでその結果を４で割ることより成り、第３の送信素子だけがファイヤリングされる場合における等価なデータ組を作成するための復号は、第１および第２の受信データ組を加算して得た和から残りの受信データ組を減算し、次いでその結果を４で割ることより成り、最後に、第４の送信素子だけがファイヤリングされる場合における等価なデータ組を作成するための復号は、第１および第４の受信データ組を加算して得た和から残りの受信データ組を減算し、次いでその結果を４で割ることより成るものである」ことは、本願補正発明１における
「復号化ステップであって、そのステップの間に、」４「個の基本反射波Ｒ０ｉ（ｔ）は、検出された前記」４「個の反射波Ｒｉ（ｔ）を線形結合することによって決定され、式（２）に対応し、
　　【数４】
　式（２）
ここで、Ｈｄは次数」４「の正方行列であって、行列ＨｃおよびＨｄは、Ｈｃ.Ｈｄ＝Ｄとなるようなものであり、Ｄは、全ての対角要素ｄｉｉが非ゼロである次数」４「の対角行列であり、
　　【数５】
は、成分として前記」４「個の反射波を有するベクトルであり、
　　【数６】
は、成分として前記」４「個の基本反射波を有するベクトルである、復号化ステップ」に相当する。
「（ｃ）画像構築ステップ」について
　（コ）引用発明における「この復号されビーム形成された像データは次いでビデオまたは表示モニタ２４上で１つの像フレームとして表示される」ことは、前記（ケ）で、復号により作成される第１〜第４の送信素子だけがファイヤリングされる場合における等価なデータ組のベクトルが、本願補正発明１における４個の基本反射波を有するベクトルに相当することから、本願補正発明１における「そのステップの間に、合成画像は、前記４個の基本反射波Ｒ０ｉ（ｔ）から生成される、画像構築ステップ」に相当する。
　すると、本願補正発明１と、引用発明とは、次の点で一致する。
＜一致点＞
「音響撮像方法であって、前記方法は、
（ａ）送信／受信ステップであって、そのステップの間に、音響トランスデューサの配列（２）が、撮像されるべき媒体（１）の一部である観察領域内に一連の４個の入射音波Ｅｉ（ｔ）を連続して送信し、および音響トランスデューサの前記配列は、前記４個の入射音波Ｅｉ（ｔ）の前記送信に続いて撮像されるべき前記媒体によってそれぞれ反射される４個の反射波Ｒｉ（ｔ）を検出する、送信／受信ステップであって、
　前記４個の入射音波の各々は、４個の基本的な入射波Ｅ０ｉ（ｔ）を次の式に対応する方法で線形結合することによって得られ、
　　【数１】
　式（１）
　ここで、Ｈｃは、次数４の正方行列であり、
　　【数２】
は、成分として前記４個の入射音波を有するベクトルであり、
　　【数３】
は、成分として前記４個の基本入射波Ｅ０ｉ（ｔ）を有するベクトルであり、
　前記４個の基本入射波の各基本入射波Ｅ０ｉ（ｔ）は、音響トランスデューサの前記配列（２）の複数の音響トランスデューサによって送信され、および観察領域全体を走査し、
　前記４個の基本入射波の各基本入射波Ｅ０ｉ（ｔ）は、複数の時間信号によって表され、各時間信号は、前記複数の音響トランスデューサの１つの音響トランスデューサで前記基本入射波Ｅ０ｉ（ｔ）を表す、
送信/受信ステップと、
（ｂ）復号化ステップであって、そのステップの間に、４個の基本反射波Ｒ０ｉ（ｔ）は、検出された前記４個の反射波Ｒｉ（ｔ）を線形結合することによって決定され、式（２）に対応し、
　　【数４】
　式（２）
ここで、Ｈｄは次数４の正方行列であって、行列ＨｃおよびＨｄは、Ｈｃ.Ｈｄ＝Ｄとなるようなものであり、Ｄは、全ての対角要素ｄｉｉが非ゼロである次数４の対角行列であり、
　　【数５】
は、成分として前記４個の反射波を有するベクトルであり、
　　【数６】
は、成分として前記４個の基本反射波を有するベクトルである、復号化ステップと、
（ｃ）画像構築ステップであって、そのステップの間に、合成画像は、前記４個の基本反射波Ｒ０ｉ（ｔ）から生成される、画像構築ステップと、
を含む、方法。」
　一方で、両者は、次の点で相違する。
＜相違点＞
　本願補正発明１では「前記４個の基本入射波は、平面波または発散波または４個の異なる波面をそれぞれ有する空間において異なる点に集束された波であ」るのに対し、引用発明における送信素子１２ａ−１２ｄのそれぞれの素子から送信されるＰ（ｔ）または−Ｐ（ｔ）のパルスがそのような構成を備えているのか明示がない点。
　エ　判断
　前記「ウ」で記載した相違点について判断する。
　（ア）引用発明は、ディジタル超音波イメージング・システムであり、複数の別々に駆動されるトランスジューサ素子１２ａ−１２ｎで構成されたトランスジューサ・アレイ１０を有している。そのトランスジューサ素子１つがＰ（ｔ）または−Ｐ（ｔ）のパルスで駆動した場合は、トランスジューサ素子の外部に向けて振動波が発せられており、発信源が１つの場合の振動波は、発信源を中心とした発散波となるのものである。
　（イ）したがって、引用発明においても、送信素子１２ａ−１２ｄのそれぞれの素子から送信されるＰ（ｔ）または−Ｐ（ｔ）のパルスは、検査中の物体に対し発散波を生じさせているといえる。
　（ウ）以上のことから、前記相違点は、実質的な相違点でない。
　（エ）ゆえに、本願補正発明１は引用発明である。
　（オ）また、引用発明は、「送信素子１２ａ−１２ｄ」と４つであるが、引用発明の方法は、送信素子が４以外の少なくとも２に等しい自然数の個数でも成り立つものであるから、本願補正発明１の「ここでｎは少なくとも２に等しい自然数」が４以外の数としても、引用発明と実質的に相違点がないか、あるいは、送信素子を４以外の少なくとも２に等しい自然数の個数とすることは当業者が容易になし得たことである。
　オ　小括
　したがって、本願補正発明１は、引用発明である、又は、引用発明に基いて当業者が容易に発明をすることができたものであるから、特許法第２９条第１項第３号に該当し、又は特許法第２９条第２項の規定により、特許出願の際独立して特許を受けることができないものである。
　
（４）むすび
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
　よって、上記補正の却下の決定の結論のとおり決定する。
　
３　本願発明について
（１）本願発明１
　令和２年３月３０日付けの手続補正は上記のとおり却下されたので、本願の請求項１ないし７に係る発明は、本願出願時の特許請求の範囲の請求項１ないし７に記載されたとおりのものであるところ、請求項１に係る発明（以下「本願発明１」という。）は、次のとおりのものである。
　
「【請求項１】
　音響撮像方法であって、前記方法は、
（ａ）送信／受信ステップであって、そのステップの間に、音響トランスデューサの配列（２）が、撮像されるべき媒体（１）の一部である観察領域内に一連のｎ個の入射音波Ｅｉ（ｔ）を連続して送信し、および音響トランスデューサの前記配列は、前記ｎ個の入射波の前記送信に続いて撮像されるべき前記媒体によってそれぞれ反射されるｎ個の反射波Ｒｉ（ｔ）を検出する、送信／受信ステップであって、ここでｎは少なくとも２に等しい自然数であり、
　前記入射音波は、ｎ個の基本的な入射波E0i(t)を次の式に対応する方法で線形結合することによって得られ、
　　【数１】
　式（１）
　ここで、Ｈｃは、次数ｎの正方行列であり、
　　【数２】
は、成分として前記ｎ個の入射音波を有するベクトルであり、
　　【数３】
は、成分として前記ｎ個の基本入射波を有するベクトルであり、前記基本入射波は、平面波または発散波またはｎ個の異なる波面をそれぞれ有する空間において異なる点に集束された波であり、
　各基本入射波は、音響トランスデューサの前記配列（２）の複数の音響トランスデューサによって送信され、および前記観察領域全体を走査する、
送信/受信ステップと、
（ｂ）復号化ステップであって、そのステップの間に、ｎ個の基本反射波R0i(t)は、検出された前記ｎ個の反射波Ri(t)を線形結合することによって決定され、式（２）に対応し、
　　【数４】
　式（２）
ここで、Hｄは次数ｎの正方行列であって、行列HｃおよびHｄは、Hc.Hd = Dとなるようなものであり、Dは、全ての対角要素dｉｉが非ゼロである次数ｎの対角行列であり、
　　【数５】
は、成分として前記ｎ個の反射波を有するベクトルであり、
　　【数６】
は、成分として前記ｎ個の基本反射波を有するベクトルである、復号化ステップと、
（ｃ）画像構築ステップであって、そのステップの間に、合成画像は、前記ｎ個の基本反射波ROｉ（ｔ）から生成される、画像構築ステップと、
を含む、方法。」
　
（２）原査定の拒絶の理由
　原査定の拒絶の理由は、この出願の請求項１ないし３，５ないし７に係る発明は、その優先日前に日本国内又は外国において、頒布された下記の刊行物に記載された発明であるから、特許法第２９条第１項第３号に該当し、特許を受けることができない。また、この出願の請求項１ないし７に係る発明は、その優先日前に日本国内又は外国において、頒布された下記の刊行物に記載された発明に基いて、その優先日前にその発明の属する技術の分野における通常の知識を有する者が容易に発明をすることができたものであるから、特許法第２９条第２項の規定により特許を受けることができない、というものである。
引用文献１：特開平１１−１５５８６７号公報
（３）引用された電気通信回線を通じて公衆に利用可能となった発明
　原査定の拒絶の理由で引用された刊行物に記載された発明並びにその記載事項は、前記「２（３）イ」に記載したとおりである。
　
（４）対比・判断
　本願発明は、前記「２（３）」で検討した本願補正発明１から、「ｎ個の入射音波Ｅｉ（ｔ）」を「ｎ個の入射波」にもどし、「前記ｎ個の入射音波の各々は」を「前記入射音波は」にもどし、「前記ｎ個の入射音波」を「前記ｎ個の入射波」にもどし、「基本入射波Ｅ０ｉ（ｔ）」を「基本入射波」にもどし、「前記ｎ個の基本入射波は」を「前記基本入射波は」にもどし、「前記ｎ個の基本入射波の各基本入射波Ｅ０ｉ（ｔ）は」を「各基本入射波は」にもどし、「および前記観察領域全体を走査し、前記ｎ個の基本入射波の各基本入射波Ｅ０ｉ（ｔ）は、複数の時間信号によって表され、各時間信号は、前記複数の音響トランスデューサの１つの音響トランスデューサで前記基本入射波Ｅ０ｉ（ｔ）を表す、送信/受信ステップと、」を「および前記観察領域全体を走査する、送信/受信ステップと、」にもどし、拡張した構成としたものである。
　そうすると、本願発明１の構成要件を全て含み、さらに他の構成要件を付加したものに相当する本願補正発明１が、前記「２（３）」に記載したとおり、引用発明であるか、又は引用発明に基いて、当業者が容易に発明をすることができたものであるから、本願発明１も、同様の理由により、引用発明であるか、又は引用発明に基いて、当業者が容易に発明をすることができたものである。
４　令和２年７月１７日付け上申書に記載された補正案について
　請求人は、令和２年７月１７日付け上申書において、さらなる補正を行う用意があることを述べている。
　その用意されたさらなる補正の補正案において、令和２年３月３０日付け手続補正書による補正後の請求項１及び請求項６の
「前記ｎ個の基本入射波の各基本入射波Ｅ０ｉ（ｔ）は、複数の時間信号によって表され、各時間信号は、前記複数の音響トランスデューサの１つの音響トランスデューサで前記基本入射波Ｅ０ｉ（ｔ）を表す、」
という記載を
「前記入射音波の各々は、複数の時間信号によって表され、各時間信号は、前記トランスデューサ配列の一部であるトランスデューサにおける前記音波を表す、」
という記載に変更することを提示している。
　上記補正案は、令和２年４月２７日作成日の前置報告書の指摘である特許法第３６条第６項第１，２号及び第３６条第４項１号に規定する要件を満たしていない点を解消するために作成されたものであると認められる。
　しかしながら、令和２年３月３０日付け手続補正書による補正後の請求項１に係る発明である本願補正発明１は、前記「２（３）」での引用発明との対比で検討したとおりすでに明確であるので、前記上申書に記載された補正案は、前記「２（３）」で検討した特許法第２９条第１項３号又は特許法第２９条第２項に該当するか否かの判断においては考慮されないし、たとえ前記補正案通りに補正したとしても、前記「２（３）」での検討結果が変わるものでもない。
５　むすび
　以上のとおり、本願の請求項１に係る発明は、引用例に記載された発明である、又は、引用例に記載された発明に基いて当業者が容易に発明をすることができたものであるから、特許法第２９条第１項第３号に該当し、又は同条第２項の規定により特許を受けることができない。
　したがって、その余の請求項に係る発明について論及するまでもなく、本願は拒絶すべきものである。
　よって、結論のとおり審決する。